(57)【要約】【課題】ムカデ等の多足類害虫を容器内に侵入させ、当該容器内に収容する毒餌剤まで誘導することができる多足類害虫駆除用容器を提供する。【解決手段】侵入口３０から多足類害虫を侵入させて毒餌剤を摂食させる多足類害虫駆除用容器１００であって、毒餌剤を収容する収容部１１を有する本体１０と、遮光性材料からなり、本体１０に取り付けられることで、本体１０との間に侵入口３０を形成する屋根部材２０とを備え、本体１０は、侵入口３０から収容部１１まで連続する床部１２と、収容部１１及び床部１２に沿って連続し、上端が屋根部材２０と隙間なく接合する側壁部１３とを有する。【選択図】図１
2019083751.tif 000002
【特許請求の範囲】
【請求項１】
侵入口から多足類害虫を侵入させて毒餌剤を摂食させる多足類害虫駆除用容器であって、
前記毒餌剤を収容する収容部を有する本体と、
遮光性材料からなり、前記本体に取り付けられることで、前記本体との間に前記侵入口を形成する屋根部材と、
を備え、
前記本体は、前記侵入口から前記収容部まで連続する床部と、前記収容部及び前記床部に沿って連続し、上端が前記屋根部材と隙間なく接合する側壁部とを有する多足類害虫駆除用容器。
【請求項２】
前記侵入口は、異なる方向から前記収容部へ向かう２ヶ所に形成される請求項１に記載の多足類害虫駆除用容器。
【請求項３】
前記２ヶ所の侵入口は、前記収容部を挟んで直線状に配列し、前記本体の両端部に開口する請求項２に記載の多足類害虫駆除用容器。
【請求項４】
前記本体及び前記屋根部材は、前記２ヶ所の侵入口の配列方向を長手方向とした長尺形状に構成されている請求項３に記載の多足類害虫駆除用容器。
【請求項５】
前記本体及び前記屋根部材は、前記２ヶ所の侵入口の間に形成される内部空間の長手方向の長さが、前記多足類害虫の体長の６割以上となるように構成されている請求項４に記載の多足類害虫駆除用容器。
【請求項６】
前記屋根部材は、前記侵入口の上側から延出し、下方へ傾斜する庇部を有する請求項１〜５の何れか一項に記載の多足類害虫駆除用容器。
【請求項７】
前記床部は、前記侵入口側から前記収容部へ向かって上方へ傾斜する傾斜部を有し、
前記侵入口は、開口面積の５０〜１００％において、前記庇部及び前記傾斜部によって視野が遮蔽されるように構成されている請求項６に記載の多足類害虫駆除用容器。
【請求項８】
建物の壁面に沿うように設置して使用される請求項１〜７の何れか一項に記載の多足類害虫駆除用容器。
【発明の詳細な説明】
【技術分野】
【０００１】
本発明は、侵入口から多足類害虫を侵入させて毒餌剤を摂食させる多足類害虫駆除用容器に関する。
【背景技術】
【０００２】
トビズムカデ、アオズムカデ、アカズムカデ等のムカデは、野外環境に生息し、毒腺のある顎肢を用いて小型の虫等を捕食する。しかし、ムカデは温暖な環境を好む習性を有するため家屋等に侵入することが多く、家屋等での人との接触により刺咬被害を引き起こすことがある。そこで、ムカデ等の多足類害虫を防除する製品が開発されている。
【０００３】
例えば、ムカデ用の毒餌剤を収容したムカデ用毒餌剤入り容器が開発されている（例えば、特許文献１を参照）。このムカデ用毒餌剤入り容器は、毒餌剤の収容部の全周囲を傾斜面で取り囲み、毒餌剤に接近したムカデの触角を毒餌剤に触れさせずに口に触れさせるように構成している。これにより、触角が毒餌剤に触れることにより毒餌剤が障害物と認識されて回避されることを防ぎ、毒餌剤の摂食性を向上させている。
【先行技術文献】
【特許文献】
【０００４】
【特許文献１】特開２０１５−１１２０２０号公報
【発明の概要】
【発明が解決しようとする課題】
【０００５】
特許文献１のムカデ用毒餌剤入り容器は、毒餌剤に触れたムカデに毒餌剤が障害物と認識されて回避されることは考慮しているが、毒餌剤に触れる前の状態で回避されること、例えば、毒餌剤の収容部を取り囲む傾斜面等が触角に触れることで、容器自体が障害物と認識されて回避される可能性については、何ら考慮されていない。そのため、例えば、傾斜面にまでムカデが接近したとしても、ムカデは傾斜面を登ることなく、傾斜面の立ち上がり部分に沿って進むことで、毒餌剤まで接近しない可能性がある。このように、特許文献１のムカデ用毒餌剤入り容器は、ムカデを毒餌剤まで効果的に誘導することができないという問題がある。
【０００６】
本発明は、上記問題点に鑑みてなされたものであり、ムカデ等の多足類害虫を容器内に侵入させ、当該容器内に収容する毒餌剤まで誘導することができる多足類害虫駆除用容器を提供することを目的とする。
【課題を解決するための手段】
【０００７】
上記課題を解決するための本発明に係る多足類害虫駆除用容器の特徴構成は、
侵入口から多足類害虫を侵入させて毒餌剤を摂食させる多足類害虫駆除用容器であって、
前記毒餌剤を収容する収容部を有する本体と、
遮光性材料からなり、前記本体に取り付けられることで、前記本体との間に前記侵入口を形成する屋根部材と、
を備え、
前記本体は、前記侵入口から前記収容部まで連続する床部と、前記収容部及び前記床部に沿って連続し、上端が前記屋根部材と隙間なく接合する側壁部とを有することにある。
【０００８】
多足類害虫、特にムカデは、暗がりを好み壁沿いに移動する習性を有する。本構成の多足類害虫駆除用容器によれば、遮光性材料からなる屋根部材と本体の側壁部とが隙間なく接合し容器内が暗い空間となるため、近傍まで接近した多足類害虫が侵入口から侵入し易い。さらに、侵入口から侵入した多足類害虫は、側壁部に沿って収容部まで移動し易いため、多足類害虫を毒餌剤まで高い確率で誘導することができる。
【０００９】
本発明に係る多足類害虫駆除用容器において、
前記侵入口は、異なる方向から前記収容部へ向かう２ヶ所に形成されることが好ましい。
【００１０】
本構成の多足類害虫駆除用容器によれば、異なる方向から収容部へ向かう２ヶ所に侵入口が形成されるため、２つの方向から接近する多足類害虫を毒餌剤へ誘導することができる。
【００１１】
本発明に係る多足類害虫駆除用容器において、
前記２ヶ所の侵入口は、前記収容部を挟んで直線状に配列し、前記本体の両端部に開口することが好ましい。
【００１２】
本構成の多足類害虫駆除用容器によれば、本体の両端部に侵入口が開口するため、侵入口の配列方向を家屋等の壁面に沿うように多足類害虫駆除用容器を設置したときに、壁沿いに移動してきた多足類害虫を、それぞれの侵入口から容器内へ侵入させることができる。
【００１３】
本発明に係る多足類害虫駆除用容器において、
前記本体及び前記屋根部材は、前記２ヶ所の侵入口の配列方向を長手方向とした長尺形状に構成されていることが好ましい。
【００１４】
本構成の多足類害虫駆除用容器によれば、本体及び屋根部材が、侵入口の配列方向を長手方向とした長尺形状に構成されているため、侵入口の配列方向を家屋等の壁面に沿うように設置したときに、多足類害虫駆除用容器が邪魔になることなく使い勝手のよいものとなる。
【００１５】
本発明に係る多足類害虫駆除用容器において、
前記本体及び前記屋根部材は、前記２ヶ所の侵入口の間に形成される内部空間の長手方向の長さが、前記多足類害虫の体長の６割以上となるように構成されていることが好ましい。
【００１６】
本構成の多足類害虫駆除用容器によれば、内部空間の長手方向の長さがムカデの体長の６割以上となるように構成されていることで、内部空間は暗がりを好む習性を有するムカデにとって居心地の良いものとなるため、侵入したムカデが内部空間に長期間定着し易くなる。長期間定着したムカデは、毒餌剤に触れる機会が多く、毒餌剤を摂食する可能性が高くなる。
【００１７】
本発明に係る多足類害虫駆除用容器において、
前記屋根部材は、前記侵入口の上側から延出し、下方へ傾斜する庇部を有することが好ましい。
【００１８】
本構成の多足類害虫駆除用容器によれば、侵入口の上側から延出し、下方へ傾斜する庇部を屋根部材が有することにより、侵入口から内部空間への採光が抑制される。そのため、内部空間がさらに暗くなり、近傍まで接近した多足類害虫が侵入口からより侵入し易くなる。
【００１９】
本発明に係る多足類害虫駆除用容器において、
前記床部は、前記侵入口側から前記収容部へ向かって上方へ傾斜する傾斜部を有し、
前記侵入口は、開口面積の５０〜１００％において、前記庇部及び前記傾斜部によって視野が遮蔽されるように構成されていることが好ましい。
【００２０】
本構成の多足類害虫駆除用容器によれば、侵入口が開口面積の５０〜１００％において、庇部及び傾斜部によって視野が遮蔽されるため、収容部近傍がさらに暗くなり、侵入口から侵入した多足類害虫が収容部へ向けて移動し易くなる。
【００２１】
本発明に係る多足類害虫駆除用容器において、
建物の壁面に沿うように設置して使用されることが好ましい。
【００２２】
本構成の多足類害虫駆除用容器によれば、建物の壁面に沿うように設置して使用されることで、壁沿いに移動してきた多足類害虫を容器内に容易に侵入させることができる。
【図面の簡単な説明】
【００２３】
【図１】図１は、実施形態に係る多足類害虫駆除用容器の説明図である。
【図２】図２は、実施形態に係る多足類害虫駆除用容器の分解斜視図である。
【図３】図３は、実施形態に係る多足類害虫駆除用容器の使用形態の説明図である。
【図４】図４は、別実施形態に係る多足類害虫駆除用容器の断面図である。
【発明を実施するための形態】
【００２４】
本発明に係る多足類害虫駆除用容器は、ムカデ等の多足類害虫を侵入口から侵入させ、内部に収容した毒餌剤を摂食させることにより駆除する装置である。以下、本発明の多足類害虫駆除用容器に関する実施形態について、図１〜図４を参照しながら説明する。ただし、本発明は、以下に説明する実施形態や図面に記載される構成に限定されることを意図しない。
【００２５】
〔多足類害虫駆除用容器の全体構成〕
図１は、実施形態に係る多足類害虫駆除用容器１００の説明図である。図１（ａ）は、多足類害虫駆除用容器１００の斜視図である。図１（ｂ）は、図１（ａ）中のＡ−Ａ’線における多足類害虫駆除用容器１００の断面図である。図１（ｃ）は、図１（ａ）中のＢ−Ｂ’線における多足類害虫駆除用容器１００の断面図である。図２は、実施形態に係る多足類害虫駆除用容器１００の分解斜視図である。
【００２６】
多足類害虫駆除用容器１００は、本体１０と、本体１０に取り付けられる屋根部材２０とを備える。本体１０及び屋根部材２０の構成材料には、不透明の遮光性材料が使用される。遮光性材料として、例えば、着色されたポリエチレン、ポリプロピレン、ポリエチレンテレフタレート、ＡＢＳ樹脂、ポリカーボネート、ポリスチレン等の樹脂材料、鉄、アルミニウム等の金属材料等が挙げられる。樹脂材料の色は、黒、茶、緑等とすることが可能であるが、多足類害虫駆除用容器１００の内部を暗くするために、黒であることが好ましい。本体１０及び屋根部材２０は長尺形状に構成されていることが好ましく、本体１０に屋根部材２０が取り付けられた状態で、本体１０の長手方向の両端部に２つの侵入口３０が形成されることが好ましい。両端の侵入口３０の間に形成される内部空間Ｓの長手方向の長さＬは、５〜１５ｃｍに構成されていることが好ましく、７〜１０ｃｍに構成されていることがより好ましい。日本国内で一般に見られる主なムカデ類には、アカズムカデ、アオズムカデ、及びトビズムカデ等がいるが、アカズムカデは体長７ｃｍ程度であり、アオズムカデは体長１０ｃｍ程度であり、トビズムカデは大きい個体で体長１５ｃｍ程度であることが知られている。内部空間Ｓの長さＬが５ｃｍ以上であれば、内部空間Ｓにおいて、最も小型であるアカズムカデの体長の６割以上を屋根部材２０で覆うように多足類害虫駆除用容器１００を構成することができる。また、内部空間Ｓの長さＬが１５ｃｍであれば、最も大型であるトビズムカデであっても、内部空間Ｓにおいて体長の６割以上を屋根部材２０で覆うように多足類害虫駆除用容器１００を構成することができる。多足類害虫は暗い環境を好むため、このような構成によって、侵入口３０から侵入した多足類害虫を内部空間Ｓに長期間定着させることが可能となる。内部空間Ｓの長さＬが、１５ｃｍを超える場合、多足類害虫駆除用容器１００が大型化し、使い勝手が悪くなる虞がある。また、内部空間Ｓの長さＬが１０ｃｍであっても、内部空間Ｓにおいてトビズムカデの体長の６割以上を屋根部材２０で覆うように多足類害虫駆除用容器１００を構成することができる。内部空間Ｓの幅Ｗｅは、１〜８ｃｍに構成されていることが好ましく、３〜７ｃｍに構成されていることがより好ましい。幅Ｗｅが１〜８ｃｍであれば、多足類害虫駆除用容器１００を家屋等の壁面に沿うように設置したときに、多足類害虫駆除用容器１００が邪魔になることなく使い勝手のよいものとなり、また、侵入口３０から侵入した多足類害虫が内部空間Ｓに定着しやすくなる。幅Ｗｅが１ｃｍ未満の場合、侵入口３０から侵入した多足類害虫が内部空間Ｓに定着せず、内部に収容した毒餌剤Ｐを摂食させることができない可能性がある。幅Ｗｅが８ｃｍを超える場合、多足類害虫駆除用容器１００を家屋等の壁面に沿うように設置したときに、多足類害虫駆除用容器１００が壁面から突出することになり、邪魔になる虞がある。
【００２７】
本体１０は、図２に示すように、毒餌剤Ｐを収容する収容部１１を有しており、さらに、侵入口３０から収容部１１まで連続する床部１２と、収容部１１及び床部１２に沿って連続して形成された側壁部１３とを有する。
【００２８】
収容部１１には、毒餌剤Ｐを収容する長円形の凹部１１ａが形成されている。図１（ｂ）の断面図に示すように、凹部１１ａは、多足類害虫駆除用容器１００の幅方向の中央に形成され、凹部１１ａを挟んで幅方向の両側に、床部１２から連続する歩行面１１ｂが形成されている。
【００２９】
床部１２は、多足類害虫が歩行する区間であり、収容部１１を挟んで長手方向の両側に形成されている。夫々の床部１２は、図１（ｃ）に示すように、長手方向に沿って容器外方から奥へ向けて、前縁部１２ａ、傾斜部１２ｂ、及び奥部１２ｃを有することが好ましい。前縁部１２ａは、凹部１１ａの底面と同一の高さに形成されており、多足類害虫駆除用容器１００を設置した状態で地面に接触することで、多足類害虫の侵入を妨げない水平面をなす。傾斜部１２ｂは、前縁部１２ａから奥部１２ｃへ向かって上方に傾斜する曲面状の傾斜面をなす。奥部１２ｃは、収容部１１に連設した水平面をなす。
【００３０】
側壁部１３は、床部１２と収容部１１との幅方向の両側の側部から起立し、多足類害虫駆除用容器１００の幅方向の側面を構成する。側壁部１３は、長手方向両側の床部１２の傾斜部１２ｂから奥部１２ｃまでと、収容部１１とに沿って連続して形成されており、その上端は、屋根部材２０と隙間なく接合している。ここで「隙間なく接合」とは、側壁部１３と屋根部材２０との接合部分から内部空間Ｓに光が入らない程度に接触した状態を意味する。図１（ｂ）に示す構成では、側壁部１３の上端部を外側へ屈曲させることで、屋根部材２０と接合する幅を大きくしているため、屋根部材２０との接合部分から内部空間Ｓへ光が入ることをより確実に防ぐことができる。また、図２に示すように、側壁部１３には、係合突起１４が形成され、係合突起１４が屋根部材２０に形成された係合孔２３に係合することで、本体１０と屋根部材２０とが固着される。
【００３１】
屋根部材２０は、本体１０に取り付けた状態で、幅方向の両側で側壁部１３の上端と隙間なく接合し、長手方向の両側で本体１０との間に侵入口３０を形成する。屋根部材２０は、平板部２１と、平板部２１を挟んで長手方向の両側に設けられた庇部２２とを有することが好ましい。平板部２１は、本体１０に取り付けた状態で地面と略平行となる。庇部２２は、平板部２１から屈曲して延伸し、端部が下方へ向けて傾斜する。庇部２２は、本体１０に取り付けた状態で、侵入口３０の上側から長手方向の外側へさらに延出する。
【００３２】
〔侵入口〕
本体１０の両端に開口する２つの侵入口３０は、図１（ｃ）の断面図に示すように、収容部１１を挟んで直線状に配列することが好ましい。図１に示す構成では、侵入口３０は、側壁部１３の端部１３ａを側辺として、屋根部材２０、床部１２、及び側壁部１３に囲まれた幅Ｗｅ、高さＨの開口として形成される。
【００３３】
侵入口３０の幅Ｗｅは、１〜８ｃｍに構成されていることが好ましく、３〜７ｃｍに構成されていることがより好ましい。侵入口３０の幅Ｗｅが１〜８ｃｍであれば、多足類害虫駆除用容器１００を家屋等の壁面に沿うように設置したときに、多足類害虫駆除用容器１００が邪魔になることなく使い勝手のよいものとなり、また、多足類害虫が侵入し易いものとなる。侵入口３０の幅Ｗｅが１ｃｍ未満の場合、多足類害虫が侵入しにくくなる虞がある。特に、大型のムカデが侵入口３０から内部空間Ｓへ侵入することが困難になる虞がある。侵入口３０の幅Ｗｅが８ｃｍを超える場合、多足類害虫駆除用容器１００を家屋等の壁面に沿うように設置したときに、多足類害虫駆除用容器１００が壁面から突出することになり、邪魔になる虞がある。
【００３４】
侵入口３０の高さＨは、０．５〜３ｃｍに構成されていることが好ましく、１〜２ｃｍに構成されていることがより好ましい。侵入口３０の高さＨが０．５〜３ｃｍであれば、多足類害虫駆除用容器１００を設置したときに、多足類害虫駆除用容器１００が邪魔になることなく使い勝手のよいものとなり、また、多足類害虫が侵入し易いものとなる。侵入口３０の高さＨが０．５ｃｍ未満の場合、多足類害虫が侵入しにくくなる虞がある。特に、大型のムカデが侵入口３０から内部空間Ｓへ侵入すること困難になる虞がある。侵入口３０の高さＨが３ｃｍを超える場合、多足類害虫駆除用容器１００の厚みが大きくなり、多足類害虫駆除用容器１００を設置したときに邪魔になる虞がある。
【００３５】
侵入口３０は、開口面積の５０〜１００％において、庇部２２及び傾斜部１２ｂによって視野が遮蔽されるように構成されていることが好ましい。侵入口３０は、開口面積の８０〜１００％において、庇部２２及び傾斜部１２ｂによって視野が遮蔽されるように構成されていることがより好ましい。ここで「視野が遮蔽される」とは、一方の侵入口３０から多足類害虫駆除用容器１００内部を見た場合に、長手方向の反対側の位置に形成された侵入口３０を通して、多足類害虫駆除用容器１００の外部を見ることができない状態を意味する。以下、侵入口３０の開口面積において、視野が遮蔽される面積が占める割合を「遮蔽率」という。遮蔽率が５０〜１００％であると、収容部１１の近傍が侵入口３０の近傍よりも暗くなるため、侵入口３０から侵入した多足類害虫が収容部１１へ向けて移動し易くなる。遮蔽率が５０％未満である場合、収容部１１の近傍が充分に暗くならず、収容部１１の近傍と侵入口３０の近傍との明るさの違いによる多足類害虫の誘導が不十分になる可能性がある。図１（ｃ）に示す構成では、矢印Ｖで示すように長手方向に沿って高さＨの侵入口３０を見た場合、庇部２２によって上側Ｓｒの視野が遮蔽され、傾斜部１２ｂによって下側Ｓｆの視野が遮蔽されていることで、侵入口３０は、高さＨの全ての位置で視野が遮蔽される。侵入口３０の開口面積は、幅Ｗｅと高さＨとの積であることから、図１（ｃ）に示す構成における遮蔽率は、１００％である。
【００３６】
〔多足類害虫駆除用容器の使用方法〕
図３は、実施形態に係る多足類害虫駆除用容器１００の使用形態の説明図である。図３に示すように、多足類害虫駆除用容器１００は、一方の側壁部１３を家屋等の建物の壁面Ｘに密着させ、長手方向が壁面Ｘに沿うように設置して使用される。多足類害虫は、壁沿いに移動する習性を有するため、壁面Ｘに沿って移動してきた多足類害虫Ｙを、侵入口３０から多足類害虫駆除用容器１００の内部へ効果的に侵入させることが可能である。また、多足類害虫駆除用容器１００は、長手方向の両端に侵入口３０を有するため、逆方向から壁面Ｘに沿って移動してきた多足類害虫Ｚも、他方の侵入口３０から効果的に侵入させることが可能である。このような使用形態によって、多足類害虫駆除用容器１００は、内部へ侵入した多足類害虫に毒餌剤を摂食させて駆除することができる。
【００３７】
〔別実施形態〕
上記の実施形態に係る多足類害虫駆除用容器１００は、遮蔽率が１００％になるように構成されているが、遮蔽率は必ずしも１００％である必要はなく、５０〜１００％の範囲であれば、内部空間Ｓを暗くし、多足類害虫を効率的に侵入させることが可能である。図４は、別実施形態に係る多足類害虫駆除用容器１００の断面図である。図４に示す構成では、矢印Ｖで示すように長手方向に沿って高さＨの侵入口３０を見た場合、庇部２２によって上側Ｓｒの視野が遮蔽され、傾斜部１２ｂによって下側Ｓｆの視野が遮蔽されていることで、遮蔽率が５０％以上となるように構成されている。しかし、透過部分Ｔにおいて、長手方向の反対側の侵入口３０を通して、多足類害虫駆除用容器１００の外部を見ることができる。この場合、多足類害虫駆除用容器１００の通気性が向上するため、例えば、毒餌剤に害虫が好む誘引香料を含有すれば、誘引効果を向上させることができる。
【実施例】
【００３８】
本発明の特徴構成を備えた多足類害虫駆除用容器（実施例１）と、本発明の特徴構成とは異なる遮蔽率を有する多足類害虫駆除用容器（比較例１、２）とを用いて、多足類害虫の侵入率、及び定着率を比較した。
【００３９】
（実施例１）
収容部及び床部に沿って連続する側壁部を有し、侵入口の遮蔽率が１００％である多足類害虫駆除用容器を実施例１とした。
【００４０】
（比較例１）
収容部及び床部に沿って連続する側壁部がなく、侵入口の遮蔽率が２０％である多足類害虫駆除用容器を比較例１とした。
【００４１】
（比較例２）
収容部及び床部に沿って連続する側壁部がなく、侵入口の遮蔽率が０％である多足類害虫駆除用容器を比較例２とした。
【００４２】
〔侵入定着性確認試験〕
石膏を流し込んだ幅２１ｃｍ、長さ３７ｃｍ、高さ２８ｃｍのプラスチックケースに供試虫（トビズムカデ）を１匹放ち、馴化させた後に、プラスチックケースの壁に沿わせて多足類害虫駆除用容器を設置して、トビズムカデの行動を観察した。トビズムカデが多足類害虫駆除用容器の内部に定着した場合は、トビズムカデを容器内から外部へ出してプラスチックケースに放ち、再度馴化させた後に試験を継続した。侵入率（％）、及び定着率（％）を、下式により求めた。試験結果を、表１に示す。
侵入率（％）  ＝  Ｃｉ  ／  Ｃｎ  ×  １００
定着率（％）  ＝  Ｃｆ  ／  Ｃｉ  ×  １００
Ｃｎ：トビズムカデが多足類害虫駆除用容器に接触した回数
Ｃｉ：トビズムカデが多足類害虫駆除用容器へ侵入した回数
Ｃｆ：トビズムカデが多足類害虫駆除用容器の内部に定着した回数
【００４３】
【表１】
2019083751.tif 000003
【００４４】
侵入定着性確認試験の結果、側壁部を有し、遮蔽率が１００％である実施例１の多足類害虫駆除用容器では、侵入率が８５％、定着率が７５％と何れも高い値を示した。この結果から、側壁部を有し、遮蔽率が高いことで内部が暗い実施例１の多足類害虫駆除用容器では、内部に収容した毒餌剤をトビズムカデが摂食する可能性が高いと考えられる。
【００４５】
一方、側壁部がなく、遮蔽率が２０％である比較例１の多足類害虫駆除用容器は、侵入率が５０％、定着率が１０％であった。側壁部がなく、遮蔽率が０％である比較例２の多足類害虫駆除用容器は、侵入率が５０％、定着率が０％であった。この結果から、側壁部がなく、遮蔽率が低いことで内部が明るい比較例１及び２の多足類害虫駆除用容器では、内部に収容した毒餌剤をトビズムカデが摂食する可能性が低いと考えられる。
【産業上の利用可能性】
【００４６】
本発明の多足類害虫駆除用容器は、ムカデ、ヤスデ等の多足類害虫を駆除する用途に利用可能であり、多足類害虫のうち特に、トビズムカデ、アオズムカデ、アカズムカデ等のムカデ類に対して好適に利用可能であり、さらにはワラジムシ、ダンゴムシ等にも利用可能である。
【符号の説明】
【００４７】
１０              本体
１１              収容部
１２              床部
１２ｂ            傾斜部
１３              側壁部
２０              屋根部材
２２              庇部
３０              侵入口
１００            多足類害虫駆除用容器
Ｓ                内部空間
【図１】
2019083751.tif 000004
【図２】
2019083751.tif 000005
【図３】
2019083751.tif 000006
【図４】
2019083751.tif 000007